(57)【特許請求の範囲】
【請求項１】
エレベータのかご室を形成する天井の意匠面部材よりもそれぞれ天井裏側に設けられ、側端面から入射された光を照射面から出射する導光板、この導光板の上記側端面に対向して配設された光源部、並びにこれら導光板及び光源部の水平方向外側に設けられた上記光源部の点灯回路と、
上記導光板の外周部に沿って枠状に形成され、該外周部近傍の下部に着脱可能に設けられるとともに、その少なくとも一部が上記光源部の垂直下方に配置され、上記光源部から上記かご室内の方向への直接光を遮蔽する照明カバー枠と、を備えたことを特徴とするエレベータかご室の照明装置。
【請求項２】
上記照明カバー枠は、係止ばねによって、上下移動可能かつ着脱可能に設けられることを特徴とする請求項１に記載のエレベータかご室の照明装置。
【請求項３】
上記光源部は、蛍光ランプからなり、上記点灯回路はインバータを用いたものであることを特徴とする請求項１または請求項２に記載のエレベータかご室の照明装置。
【請求項４】
上記光源部は、冷陰極蛍光ランプを用いたものであることを特徴とする請求項１または請求項２に記載のエレベータかご室の照明装置。
【請求項５】
上記光源部は、ＬＥＤランプを用いたものであることを特徴とする請求項１または請求項２に記載のエレベータかご室の照明装置。
【発明の詳細な説明】
【技術分野】
【０００１】
この発明はエレベータかご室の照明装置に関し、さらに詳細には照明器具が組み込まれる天井部の薄型化を可能にしたエレベータかご室の照明装置に関するものである。
【背景技術】
【０００２】
従来のエレベータかご室の照明装置としては、冷陰極蛍光ランプと、この冷陰極蛍光ランプを点灯させる安定器と、この安定器に入力する電圧を所定の電圧に変換する変電圧器とをそれぞれユニットケースに据え付けて一体的な照明ユニットを構成し、この照明ユニットをエレベータのかご室の天井部に取り付けるようにしたものがある（例えば特許文献１参照。）。
また、床、壁、天井等で構成される設備ユニットの天井パネルの室内側表面に光を導光、屈折、拡散させる効果を有する面体が設けられ、この面体の端縁部に、光を面体４に放射し、開閉が容易で照明器具の交換が容易な点検口を有する照明ボックスが取付けられ、照明ボックス内に照明器具が配されてなる照明天井を有するものがある（例えば特許文献２参照。）。
【０００３】
【特許文献１】特開２００４−１３１２６４号公報（第１頁、図４）
【特許文献２】特開平７−１５８２９３号公報（第１頁、図１）
【発明の開示】
【発明が解決しようとする課題】
【０００４】
上記のような従来の照明装置においては、特許文献１の技術では、光ムラをある程度解消するために、光源から間隔をあけて透光性の乳白色樹脂板等の照明カバーが配置されるため、光源と照明カバーの間に一定の寸法を必要とし、このため天井深さが大きくなり、エレベータレイアウトにおいて建築側の省スペース化が妨げられ、ないしはかご室の内部空間が抑えられるという課題があった。また、特許文献２の技術では天井パネルの室内側表面に設けられた光を導光、屈折、拡散させる効果を有する面体の部分は薄型であるというものの、端縁部に点検口を有する照明ボックスが天井から下方向にせり出しているため部分的に薄型化が達成されておらず、また、点検口を有しているため、意匠上の制約が発生するという課題があった。
【０００５】
この発明は上記のような従来技術の課題を解消するためになされたもので、照明装置の薄型化を図ることにより、エレベータのかご室の天井部厚さを薄くして建築側の省スペース化またはかご室空間の拡大が可能で、しかも意匠上の制約も少ないエレベータかご室の照明装置を提供することを目的としている。
【課題を解決するための手段】
【０００６】
この発明によるエレベータかご室の照明装置は、エレベータのかご室を形成する天井の意匠面部材よりもそれぞれ天井裏側に設けられ、側端面から入射された光を照射面から出射する導光板、この導光板の上記側端面に対向して配設された光源部、並びにこれら導光板及び光源部の水平方向外側に設けられた上記光源部の点灯回路と、上記導光板の外周部に沿って枠状に形成され、該外周部近傍の下部に着脱可能に設けられるとともに、その少なくとも一部が上記光源部の垂直下方に配置され、上記光源部から上記かご室内の方向への直接光を遮蔽する照明カバー枠と、を備えるようにしたものである。
【発明の効果】
【０００７】
この発明においては、導光板、光源部、及び点灯回路を天井の意匠面部材よりもそれぞれ天井裏側に水平方向に設けるようにしたことにより、照明装置を薄型化することができ、従ってエレベータかご室の天井部の厚さを薄くできる。このため、建築側の省スペース化ないしはかご室空間の拡大が可能となり、しかも天井意匠面よりも天井裏側に配設されることで下方向へのせり出しも無くすことができ意匠上の制約も少ないエレベータかご室の照明装置が得られる。
【発明を実施するための最良の形態】
【０００８】
実施の形態１．
図１〜図１２はこの発明の実施の形態１によるエレベータかご室の照明装置を説明するもので、図１はエレベータのかご室内の全体構成を示す透視図、図２は図１の照明装置を天井上部方向から見た平面図、図３は図２のＩＩＩ−ＩＩＩ線における要部断面図、図４は図２のＶＩ−ＶＩ線における要部断面図、図５は図２のＶ−Ｖ線における要部断面図、図６は図５に示す照明カバー枠を引き下げた状態を示す断面図、図７は図２のＶＩＩ−ＶＩＩ線における矢視断面図、図８は図７に示す照明カバー枠を引き下げた状態を示す断面図、図９は図６のＡ部拡大図、図１０は図７のＢ部拡大図、図１１は図８のＣ部拡大図、図１２は図１に示す照明装置の高さ方向のスペース縮小の効果を説明する昇降路断面図である。なお、各図を通じて同一符号は同一もしくは相当部分を示すものとする。
【０００９】
図において、エレベータのかご室１の天井部２に設けられた照明装置３は、四角形の導光板３１、この導光板３１の少なくとも一つの側端面３１ａに対向して設けられ、出射光を該側端面３１ａから導光板３１の内部に入射させる光源部としての蛍光ランプ３２、及びこれら導光板３１及び蛍光ランプ３２の水平方向外側に設けられた点灯回路３３からなり、これらは天井部２の意匠面部材２１と、天蓋部材を兼用した照明器具天板２２との高さ寸法Ｈ（図４）内のスペースに収められるように水平方向に配設され、強度上および光源部としての蛍光ランプ３２の形状を考慮した必要最小限の高さを有する枠状に形成された天井補強材２３の内側に設けられている。
【００１０】
上記蛍光ランプ３２は、天井の薄型化を実現させるため、例えばインバータ方式の点灯回路３３を用いた高出力のスリムランプなどが好ましく用いられ、この例では導光板３１の対辺を形成する一対の側端面３１ａを挟み込むように２本配設されている。具体的には管径１６ｍｍの高周波点灯専用細管蛍光ランプ（例えば、蛍光ランプ型名ＦＨＦ２４）などを好ましく用いることができる。該細管の蛍光ランプ３２は、従来の同等ワット数の管径２９ｍｍの一般照明用蛍光ランプ、例えば型名ＦＬ２０Ｓの全光束１２３０ルーメンに対し、全光束１９５０ルーメン（周囲温度３５℃）を有し、従来の約１．６倍の明るさがあり、寿命も従来の一般照明用蛍光ランプの定格寿命６０００Ｈｒに対し９０００Ｈｒと、約１．５倍の長寿命であるため有利である。なお、上記光源部として例示した蛍光ランプ３２は、冷陰極蛍光ランプ、もしくは同様の他の蛍光ランプ類を使用しても差し支えない。
【００１１】
上記蛍光ランプ３２の近傍には、天蓋補強を兼ねたランプ光反射板３４が設置され、蛍光ランプ３２の輝度効率の損失を抑えている。そして、蛍光ランプ３２を点灯させる点灯回路３３はインバータ方式のものが用いられ、天蓋部を兼用した照明器具天板２２に固定され、図示省略しているインバータ等を構成する回路部品類は天井内部２４側に格納されており、天井の上板を放熱板として利用している。また、上記インバータ方式の点灯回路３３は、点滅回数による蛍光ランプ３２の両端部に設けられた図示省略しているフィラメントの印加電流での負荷増におけるランプの短寿命化を防止するために、予熱回路（予熱時間は例えば乗場の呼びボタン始動から扉が開くまでの時間以内を想定して設定されている）を有するインバータ回路安定器が用いられている。なお、この例では保守点検時に照明器具天板２２の上部に作業員が乗ることができる強度に構成されている。
【００１２】
上記導光板３１としては、例えばアクリル樹脂などの透光性に優れ、軽量な樹脂材料からなる一般的なものを特別な制限無く用いることができ、上面部には側端面から入射された光をムラ無く下面部の照射面から出射させるための乱反射手段、上方向への光を下方向の照射面側へ向ける反射手段などが設けられているがここでは図示を省略している。一方、下面部の照射面側には、光の拡散機能を有し、意匠面を兼ねる例えばアクリル樹脂などからなる照明カバー３１ｂが設けられている。さらに、蛍光ランプ３２が配設されていない側端面には、図３に示すように反射部材３１ｃが設けられ、これら導光板３１、照明カバー３１ｂ、反射部材３１ｃなどは固定手段４によって天井補強材２３に固定されている。
【００１３】
また、上記導光板３１の外周囲近傍下部には、四角形の枠状の照明カバー枠３５が配設され、蛍光ランプ３２からエレベータのかご室１方向への直接光を遮蔽すると共に、固定手段４が下方から見えないように覆っている。該照明カバー枠３５は、図５〜図１１に示すように、天井補強材２３に設けられた挿通穴２３ａに挿通された係止ばね３６によって、上下移動可能、かつ着脱可能に天井補強材２３に取り付けられている。なお、照明カバー枠３５と係止ばね３６とは、係止ばね３６のループ部分３６ｂ（図１０、図１１）で図示省略している係合手段により係合されている。
【００１４】
また、上記係止ばね３６は、図１０の矢印Ｄのように角度が広がる方向に付勢されており、照明カバー枠３５を持ち上げたときには、図５、図７、図１０に示すように意匠面部材２１と照明カバー３１ｂに当接するように照明カバー枠３５を保持し、蛍光ランプ３２の交換等で降下させたときには図６、図８、図９、図１１に示すように係止ばね３６の先端部に形成された抜け止め部３６ａが挿通穴２３ａの縁部に係止されることにより所定の間隔で降下状態を保持できる。さらに、所要時には抜け止め部３６ａを挿通穴２３ａから引き抜くことにより、照明カバー枠３５を天井補強材２３から取り外すことも可能に構成されている。而して、天井の上面、下面は突起部の少ない、ほぼ平面を成す薄型の照明装置付天井となっている。なお、図１２において、５は昇降路、５１は昇降路頂部、６は最上階の乗場、７はかご、７１はかご上部、７２はかご枠上部を示している。
【００１５】
次に、上記のように構成された実施の形態１の動作について説明する。蛍光ランプ３２から出射された光は、反射板３４により高効率に損失少なく導光板３１の側端面３１ａから導光板３１内に入射された後、図示省略している乱反射手段、反射手段により光ムラなく均一に面発光し、導光板３１の下部に設けられた照明カバー３１ｂに照射され、該照明カバー３１ｂを介してかご室１内を照らす。光源部として用いる蛍光ランプ３２の光出力の合計、照明器具３の設置台数等を適宜選ぶことにより従来のかご室の照度と同等以上の照度を得ることは容易である。
【００１６】
また、照明カバー枠３５はネジ等を用いた固定方式ではなく、通常時は図１０に示すように係止ばね３６の矢印Ｄ方向に付勢されたばね弾性力で挿通穴２３ａ部に保持されており、蛍光ランプ３２を交換する際などには、照明カバー枠３５の周囲を係止ばね３６の付勢力に抗して図１１の矢印Ｅで示すように下向きに引き下げることにより降下させた状態で保持し、さらに必要によって取り外すことができ、取り外すための工具等は不要で、かご室１内から蛍光ランプ３２の交換作業が容易にできる。そして、照明カバー３１ｂと意匠面部材２１は段差を少なく構成できるため、照明カバー枠３５も薄型にでき、全体的に天井面の段差の少ない照明装置付天井部が構成され、意匠性を損ねることもない。
【００１７】
上記のように、実施の形態１によれば、照明装置３は導光板３１、蛍光ランプ３２、及び点灯回路３３を分離して水平方向に配置していることにより、光源部である蛍光ランプ３２と照明カバー３１ｂとは必然的に水平方向にずれて配設されるため、蛍光ランプ３２と照明カバー３１ｂの間に上下方向の間隔を設ける必要はなく、特に高さ方向のスペースを最小限に押さえることができる。例えば、従来の蛍光ランプの下部に照明カバーを配設した照明付き天井の厚さ（約６５ｍｍ）に比較して、約半分の厚さ（約３０〜３５ｍｍ程度）とした照明装置一体型天井を実現できる。このため、天井照明ボックスの深さ（高さ）Ｈを小さくして天井の厚さを薄くすることができ、エレベータレイアウト上、建築側の省スペース化に効果を発揮する。
【００１８】
即ち、図１２に示すように、昇降路５における最上階の乗場６に停止した状態のかご７において、かご上部７１からかご枠上部７２までの寸法Ｍは、かご上部７１とかご枠上部７２間に配設される機器の実装上、一定寸法必要である。また、かご枠上部７２から昇降路頂部５１までの寸法Ｎは、法規等で最小寸法が規定されている。そこで、Ｍ、Ｎ寸法が任意の一定寸法である場合、天井厚さＨが小さくなると、次のような効果が得られる。
【００１９】
１）従来とかご室内高さＫを同一とした場合、かご高さＬは小さくなる。
そのため、昇降路５の全高Ｐを小さくすることが可能となり、建築側のスペースを減少することができ、建築スペースの有効利用が図れる。
２）また、かご高さＬを従来と同一とした場合は、天井厚さＨが小さくなる分、かご室１内高さＫを大きくすることが可能であるため、かご室１内容積が増大し、開放感が増す。
【００２０】
さらに、蛍光ランプ３２からの直接光が照明カバー枠３５によって遮蔽され、導光板３１による面発光によってかご室１内が照明されるので、ランプの輝度による光ムラが解消され、意匠性も向上する。上記のように、『天井を照明器具とした一体天井』とした構成により、製造コストの低減、組立作業の削減、ランプ交換の容易化を図ることができる。また、上記点灯回路３３はインバータ回路安定器を照明付き天井としてユニット化して構成することにより、組立工数の低減化を図ることもできる。
【００２１】
実施の形態２．
図１３、図１４はこの発明の実施の形態２による照明装置を示すもので、図１３は天井部に取り付けられた照明装置を天井上方から見た平面図、図１４は要部を拡大して示す断面図で、実施の形態１の図４に相当する図である。この実施の形態２による照明装置は、光源部として、実施の形態１で用いた蛍光ランプ３２の代わりに白色ＬＥＤランプを側端面３１ａに沿って配列したＬＥＤランプユニット３７を用いたものである。図に示すように、導光板３１における対辺部の両側端面３１ａには、任意の間隔（例えば１０〜３０ｍｍピッチ）で多数の白色ＬＥＤランプ３７ａが１列または複数列に配置されている。そして、水平方向側方部には、ＬＥＤランプ３７ａを点灯させるための点灯回路としての電源部３８が配設されている。その他の構成は上記実施の形態１と同様であるので、説明を省略する。
【００２２】
上記のように構成された実施の形態２においては、上記実施の形態１と同様の動作により導光体３１が均一に面発光して図示省略しているかご室内をソフトに明るく照らし、同様の効果が得られる他、光源部として白色ＬＥＤを用いていることにより、発熱や、消費電力が蛍光ランプよりも少なく、省エネも実現でき、さらに一層の薄型化が可能であるという効果が得られる。また、発光色の異なるＬＥＤランプ、例えば赤色、緑色、青色に発光する３種類のＬＥＤランプを水平方向にマトリックス状に配置し、例えば図示省略しているかご制御盤等にコントローラを設け、該コントローラにより点灯回路としての電源部３８を介して、各色のＬＥＤランプの輝度を制御できるように構成することにより、エレベータの設置後、所望により白色を含む任意の色の照明光を得ることができ、運行サービスの時間帯や納入先の希望などに応じて任意に発光色が変えられる等、特異の照明効果を得ることもできる。
【００２３】
なお、上記実施の形態の説明では、導光板３１の対向する２つの側端面３１ａに光源部を設けたが、これに限定されるものではなく、必要とする光量等に応じて１つの側端面のみに配設し、あるいは４つの側端面全てに配設するなど適宜変更できることは言うまでも無い。また、導光板３１として４角形のものを用いたが、例えば円形、楕円形など所望の任意の形状とすることができる。この場合、光源部としては、導光板の側端面の形状に沿うように形成されたランプ、またはランプユニットが好ましく用いられる。また、点灯回路として、蛍光ランプではインバータ、ＬＥＤランプでは電源部を用いたが、これらのみに限定されるものではない。その他、種々の変形や変更が可能であることは言うまでも無い。
【図面の簡単な説明】
【００２４】
【図１】この発明の実施の形態１によるエレベータかご室の照明装置を用いたかご室内の全体構成を示す透視図。
【図２】図１の照明装置を天井上部方向から見た平面図。
【図３】図２のＩＩＩ−ＩＩＩ線における要部断面図。
【図４】図２のＶＩ−ＶＩ線における要部断面図。
【図５】図２のＶ−Ｖ線における要部断面図。
【図６】図５に示す照明カバー枠を引き下げた状態を示す断面図。
【図７】図２のＶＩＩ−ＶＩＩ線における矢視断面図。
【図８】図７に示す照明カバー枠を引き下げた状態を示す断面図。
【図９】図６のＡ部拡大図。
【図１０】図７のＢ部拡大図。
【図１１】図８のＣ部拡大図。
【図１２】図１に示す照明装置の高さ方向のスペース縮小の効果を説明する昇降路断面図。
【図１３】この発明の実施の形態２による照明装置を天井上方から見た平面図。
【図１４】図１３の照明装置の要部を拡大して示す断面図で、実施の形態１の図４に相当する図。
【符号の説明】
【００２５】
１  かご室、  ２  天井部、  ２１  意匠面部材、  ２２  照明器具天板、  ２３  天井補強材、  ２３ａ  挿通穴、  ２４  天井内部、  ３  照明装置、  ３１  導光板、  ３１ａ  側端面、  ３１ｂ  照明カバー、  ３１ｃ  反射部材、  ３２  蛍光ランプ（光源部）、  ３３  点灯回路、  ３４  ランプ光反射板、  ３５  照明カバー枠、  ３６  係止ばね、  ３６ａ  抜け止め部、  ３７  ＬＥＤランプユニット（光源部）、  ３７ａ  ＬＥＤランプ、  ３８  電源部（点灯回路）、  ４  固定手段。
【図１】
0004844028.tif 000002
【図２】
0004844028.tif 000003
【図３】
0004844028.tif 000004
【図４】
0004844028.tif 000005
【図５】
0004844028.tif 000006
【図６】
0004844028.tif 000007
【図７】
0004844028.tif 000008
【図８】
0004844028.tif 000009
【図９】
0004844028.tif 000010
【図１０】
0004844028.tif 000011
【図１１】
0004844028.tif 000012
【図１２】
0004844028.tif 000013
【図１３】
0004844028.tif 000014
【図１４】
0004844028.tif 000015